(57)【要約】      （修正有）【課題】把持して持ち運び易く、把持する部分が、米の重量で伸びたり破れにくい米袋を提供する。また、外部から水分や微小な塵等を入らせることなく、袋内部の残留空気を外部へ確実に抜くことができる米袋を提供する。【解決手段】プラスチック製の表裏シート体３，３の周辺を融着して形成されたものである。一辺部11は、帯状不織布２が、表裏シート体３，３によりサンドイッチ状に挟持される。かつ、不織布２と表裏シート体３，３は、空気10が袋内部４から外部５へ抜ける多数のエアー排出路９を形成する散点状融着部６をもって、一体状に融着されて、他辺部12の融着幅Ｄ12よりも広い融着幅Ｄ7 を有する幅広融着辺部７を形成する。かつ、幅広融着辺部７に、把手用孔部８を貫設した。【選択図】図２
0003111886.tif 000002
【実用新案登録請求の範囲】
【請求項１】
プラスチック製の表裏シート体（３Ａ)(３Ｂ）の周辺を融着して形成された米袋に於て、
一辺部（11）は、帯状不織布（２）が、上記表裏シート体（３Ａ)(３Ｂ）によりサンドイッチ状に挟持され、かつ、該不織布（２）と該表裏シート体（３Ａ)(３Ｂ）は、融着部（６）をもって一体状に融着されて、他辺部（12）の融着幅（Ｄ12）よりも広い融着幅（Ｄ7 ）を有する幅広融着辺部（７）を形成し、
かつ、該幅広融着辺部（７）に、把手用孔部（８）を貫設したことを特徴とする米袋。
【請求項２】
プラスチック製の表裏シート体（３Ａ)(３Ｂ）の周辺を融着して形成された米袋に於て、
一辺部（11）は、帯状不織布（２）が、上記表裏シート体（３Ａ)(３Ｂ）によりサンドイッチ状に挟持され、かつ、該不織布（２）と該表裏シート体（３Ａ)(３Ｂ）は、空気（10）が袋内部（４）から外部（５）へ抜ける多数のエアー排出路（９）を形成する散点状融着部（６）をもって一体状に融着されて、他辺部（12）の融着幅（Ｄ12）よりも広い融着幅（Ｄ7 ）を有する幅広融着辺部（７）を形成し、
かつ、該幅広融着辺部（７）に、把手用孔部（８）を貫設したことを特徴とする米袋。
【請求項３】
プラスチック製の表裏シート体（３Ａ)(３Ｂ）の周辺を融着して形成された米袋に於て、
一辺部（11）は、帯状不織布（２）が、上記表裏シート体（３Ａ)(３Ｂ）によりサンドイッチ状に挟持され、かつ、該不織布（２）と該表裏シート体（３Ａ)(３Ｂ）は、空気（10）が袋内部（４）から外部（５）へ抜ける多数のエアー排出路（９）を形成する断続状融着部（６）をもって一体状に融着されて、他辺部（12）の融着幅（Ｄ12）よりも広い融着幅（Ｄ7 ）を有する幅広融着辺部（７）を形成し、
かつ、該幅広融着辺部（７）に、把手用孔部（８）を貫設したことを特徴とする米袋。
【請求項４】
上記幅広融着辺部（７）の厚さ寸法（Ｔ7 ）と、上記他辺部（12）のうち該幅広融着辺部（７）と対向する対向辺部（13）の厚さ寸法（Ｔ13）とを、略同一の大きさに設定した請求項２又は３記載の米袋。
【請求項５】
上記幅広融着辺部（７）は、上記把手用孔部（８）の周囲に形成された閉環状融着部（16）、及び、該閉環状融着部（16）から幅方向に内外に延伸する延伸状融着部（17)(18）を、備えている請求項１，２，３又は４記載の米袋。
【請求項６】
上記不織布（２）の材質は、上記表裏シート体（３Ａ)(３Ｂ）と同種材質とした請求項１，２，３，４又は５記載の米袋。
【考案の詳細な説明】
【技術分野】
【０００１】
本考案は、米袋に関するものである。
【背景技術】
【０００２】
従来の米袋は、プラスチックのフィルムシートを袋状にして周囲を熱融着して成り、かつ、袋内部の残留空気を外部へ抜くために複数個の小孔を、袋本体の中間面に貫設したものが知られている。
【考案の開示】
【考案が解決しようとする課題】
【０００３】
この従来の米袋は、小孔を通して、外部の水分や微小な塵等が入り易く、米の品質が低下してしまう。また、この米袋の周囲は把持しづらく、持ち運びに不便であり、しかも、プラスチックのフィルムシートは引っ張り力に対する強度が小さいので、例えば、側辺部を掴んで運ぶと、米の重量でその部位が伸びてしまい、袋形状が変化したり破れる虞れがある。
【０００４】
そこで、本考案は、把持して持ち運び易く、把持する部分が、米の重量で伸びたり破れにくい米袋を提供することを目的とする。
また、外部から水分や微小な塵等を入らせることなく、袋内部の残留空気を外部へ確実に抜くことができる米袋を提供することを他の目的とする。
【課題を解決するための手段】
【０００５】
上記の目的を達成するために、本考案に係る米袋は、プラスチック製の表裏シート体の周辺を融着して形成され；一辺部は、帯状不織布が、上記表裏シート体によりサンドイッチ状に挟持され、かつ、該不織布と該表裏シート体は、融着部をもって一体状に融着されて、他辺部の融着幅よりも広い融着幅を有する幅広融着辺部を形成し；かつ、該幅広融着辺部に、把手用孔部を貫設したものである。
【０００６】
また、米袋は、プラスチック製の表裏シート体の周辺を融着して形成され；一辺部は、帯状不織布が、上記表裏シート体によりサンドイッチ状に挟持され、かつ、該不織布と該表裏シート体は、空気が袋内部から外部へ抜ける多数のエアー排出路を形成する散点状融着部をもって一体状に融着されて、他辺部の融着幅よりも広い融着幅を有する幅広融着辺部を形成し；かつ、該幅広融着辺部に、把手用孔部を貫設したものである。
【０００７】
また、米袋は、プラスチック製の表裏シート体の周辺を融着して形成され；一辺部は、帯状不織布が、上記表裏シート体によりサンドイッチ状に挟持され、かつ、該不織布と該表裏シート体は、空気が袋内部から外部へ抜ける多数のエアー排出路を形成する断続状融着部をもって一体状に融着されて、他辺部の融着幅よりも広い融着幅を有する幅広融着辺部を形成し；かつ、該幅広融着辺部に、把手用孔部を貫設したものである。
【０００８】
また、上記幅広融着辺部の厚さ寸法と、上記他辺部のうち該幅広融着辺部と対向する対向辺部の厚さ寸法とを、略同一の大きさに設定した。
また、上記幅広融着辺部は、上記把手用孔部の周囲に形成された閉環状融着部、及び、該閉環状融着部から幅方向に内外に延伸する延伸状融着部を、備えている。
また、上記不織布の材質は、上記表裏シート体と同種材質とした。
【考案の効果】
【０００９】
本考案は、次のような著大な効果を奏する。
本考案に係る米袋の一辺部は、帯状不織布が、表裏シート体によりサンドイッチ状に挟持され、かつ、不織布と表裏シート体は、多数のエアー排出路を形成する散点状融着部をもって一体状に融着され、他辺部の融着幅よりも広い融着幅を有する幅広融着辺部を形成するので、袋内部の残留空気を確実に外部へと排出することができ、米袋を、バランスよく積むことができ、崩れる虞れがなくなる。しかも、各エアー排出路は、ランダムなジグザグ形状を有し、かつ、幅方向に長く形成されるので、外部から水分や微小な塵等が入り込むのを防ぐことができ、米の品質低下を防ぐことができる。
また、幅広融着辺部に、把手用孔部を貫設したので、把手用孔部に指を入れて把持でき、持ち運び易い。しかも、幅広融着辺部は、大きな強度を有するので、運ぶ際に、米の重さで孔部が変形することがなく、かつ、幅広融着辺部が不意に破れることがない。
【００１０】
また、幅広融着辺部の厚さ寸法と、他辺部のうち幅広融着辺部と対向する対向辺部の厚さ寸法とを、略同一の大きさに設定したので、米袋を切断分離する前の長尺状の米袋連繋体を、芯部材にロール状に巻き付けてロール体を形成する場合に、米袋連繋体は、軸心方向に片寄らない。よって、ロール体が、均等な形状となり、強固に巻き付けることができると共に、コンパクトな形状にすることができる。しかも、ロール体の米袋連繋体をスムースに引き出すことができる。
【００１１】
また、幅広融着辺部は、把手用孔部の周囲に形成された閉環状融着部、及び、閉環状融着部から幅方向に内外に延伸する延伸状融着部を、備えているので、幅広融着辺部は、把手用孔部の周囲が補強されて、把持する際に、孔部が変形するのが防がれる。
【考案を実施するための最良の形態】
【００１２】
以下、実施の形態を示す図面に基づき、本考案を詳説する。
図１，図２及び図３は本考案に係る米袋の実施の一形態を示す。この米袋１は、２枚のプラスチック製の表裏シート体３Ａ，３Ｂを積層し周辺を融着して、袋状に形成される。かつ、この米袋１の（米を入れるための入口辺部14以外の）一辺部11は、帯状不織布２が、表裏シート体３Ａ，３Ｂによりサンドイッチ状に挟持されている。この一辺部11は、例えば図示のように、底辺部15に直交する一対の側辺部のうちの、一方の辺部である。
不織布２は、表裏シート体３Ａ，３Ｂと同種材質であるのが好ましく、各シート体３の２倍乃至３倍の厚さ寸法を有する。また、融着は、例えば、熱融着である。
【００１３】
一辺部11に於て、不織布２と表裏シート体３Ａ，３Ｂは、空気10が袋内部４から外部５へ抜ける多数のエアー排出路９を形成する複数の散点状融着部６…をもって、一体状に融着されて、幅広融着辺部（増厚補強辺部）７を形成する。
具体的には、各融着部６は、小帯状（矩形状）に形成される。そして、幅広融着辺部７に於て、融着部６…は、長手方向に所定間隔をもって散点状に配設され、一列状融着部群26を成すと共に、複数列の一列状融着部群26…が、幅方向に所定間隔をもって配設されている。かつ、隣り合う融着部群26，26に於て、融着部６…は、互い違いに（千鳥状に）配設されている。融着部６…がこのように配設されることにより、エアー排出路９はランダムな折曲り形状（ジグザグ形状）を有すると共に、幅広融着辺部７は、多数のエアー排出路９…を備える。
【００１４】
また、不織布２は、全域にわたって融着部６…で融着されるので、幅広融着辺部７の融着幅Ｄ7 は、不織布２の幅寸法に等しい。かつ、この幅広融着辺部７の融着幅Ｄ7 は、他辺部12の融着幅Ｄ12、つまり、底辺部15の融着幅Ｄ15、及び、対向辺部13の融着幅Ｄ13よりも広く設定される。
【００１５】
さらに、幅広融着辺部７は、その長手方向及び幅方向の中央近傍に、指を通すための複数個の（図例では３個の）把手用孔部８…が、長手方向に等間隔で並んだ状態で、貫設される。かつ、幅広融着辺部７は、把手用孔部８の周囲に形成された閉環状融着部16、及び、閉環状融着部16から幅方向に内外に延伸する延伸状融着部17，18を、備えている。閉環状融着部16、及び、延伸状融着部17，18によって、幅広融着辺部７は、把手用孔部８…の周囲が補強されて、米の重量に対し、孔部８が変形しない。
【００１６】
また、幅広融着辺部７の厚さ寸法Ｔ7 と、他辺部12のうち幅広融着辺部７と対向する対向辺部13の厚さ寸法Ｔ13とは、略同一の大きさに設定される。
幅広融着辺部７の厚さ寸法Ｔ7 は、既述のように、表裏シート体３Ａ，３Ｂと不織布２の厚さを合わせた大きさを、有する。
一方、表裏シート体３Ａ，３Ｂのみの融着から成る対向辺部13の厚さを、幅広融着辺部７の厚さ寸法Ｔ7 と略同一寸法にするために、この対向辺部13は、一体状に融着した表裏シート体３Ａ，３Ｂを長手方向等間隔として凹凸状に（波状に）折曲げた増厚辺部19が、形成される。この対向辺部13の増厚辺部19の厚さ寸法Ｔ13が、幅広融着辺部７の厚さ寸法Ｔ7 と略同一の大きさに設定される。
【００１７】
また、米袋１の底辺部15は、表裏シート体３Ａ，３Ｂが一体状に融着されて形成される。米を入れる入口辺部14も、米が入れられた後で、表裏シート体３Ａ，３Ｂが一体状に融着され、閉じられる。
【００１８】
また、図示省略するが、本発明の米袋は設計変更可能である。即ち、幅広融着辺部７に於て、表裏シート体３Ａ，３Ｂと不織布２を、図２，図３，図５に示した散点状融着部６に換えて、複数の断続状融着部６…をもって融着する。この断続状融着部６…により、エアー排出路９は、例えば、大きな蛇行形状や、大きなジグザグ形状に形成され、袋内部４の空気を確実に排出させられると共に、外部から水分や微細な塵等が入らない。
【００１９】
次に、本発明の米袋の製造方法について説明する。先ず、図４に示したように、２枚のプラスチックの長尺状シート体30，30の間に、細長尺状不織布20をサンドイッチ状に挟持する。そして、図５に示したように、把手用孔部８…を貫設すると共に、長尺状シート体30，30と細長尺状不織布20を、上記の融着部６，閉環状融着部16及び延伸状融着部17をもって融着して、米袋１…が連続して一体状に繋がった（切断分離前の長尺状の）米袋連繋体21を形成する。そして、米袋連繋体21を芯部材24にロール状に巻き付けて、ロール体23を形成する。米袋連繋体21は、その一辺部31（各米袋１の一辺部11）と対向辺部33（各米袋１の対向辺部13）とが略同一の厚さ寸法を有するので、軸心方向に片寄らずに巻き付けられる。よって、ロール体23の軸心方向両端部が、均等な幅になると共に、米袋連繋体21をスムースに引き出すことができる。
【００２０】
そして、ロール体23の米袋連繋体21を引出し、二点鎖線で示した裁断線22で裁断して、図２に示したような米袋１を形成する。そして、米袋１内に米を入れて、入口辺部14を融着して図１に示した状態とし、運搬・販売される。この図１のように、米袋１の幅広融着辺部７の把手用孔部８…に指を入れることで、米袋１を把持して持ち運ぶことができる。幅広融着辺部７は、不織布２が表裏シート体３Ａ，３Ｂによりサンドイッチ状に挟持され、大きな強度を有するので、運搬中に孔部８…が変形することがなく、かつ、幅広融着辺部７が破れるのが防がれる。
また、図２に於て、袋内部４の残留空気が、多数のエアー排出路９…を通って外部５へ排出される。各エアー排出路９は、幅方向に長く、しかも、ランダムな折曲り形状（ジグザグ形状）を有しているので、外部５から水分や微小な塵等が入るのが、防がれる。
【００２１】
以上のように、本考案に係る米袋は、プラスチック製の表裏シート体３Ａ，３Ｂの周辺を融着して形成されたものであり、一辺部11は、帯状不織布２が、表裏シート体３Ａ，３Ｂによりサンドイッチ状に挟持され、かつ、不織布２と表裏シート体３Ａ，３Ｂは、融着部６をもって一体状に融着されて、他辺部12の融着幅Ｄ12よりも広い融着幅Ｄ7 を有する幅広融着辺部７を形成し、かつ、幅広融着辺部７に、把手用孔部８を貫設したので、米袋を、幅広融着辺部７の把手用孔部８…に指を入れて把持でき、持ち運び易い。しかも、幅広融着辺部７は、不織布２が表裏シート体３Ａ，３Ｂによりサンドイッチ状に挟持され、大きな強度を有するので、持ち運ぶ際に孔部８…が変形することがなく、幅広融着辺部７が不意に破れることがない。
【００２２】
また、本考案に係る米袋は、プラスチック製の表裏シート体３Ａ，３Ｂの周辺を融着して形成されたものであり、一辺部11は、帯状不織布２が、表裏シート体３Ａ，３Ｂによりサンドイッチ状に挟持され、かつ、不織布２と表裏シート体３Ａ，３Ｂは、空気10が袋内部４から外部５へ抜ける多数のエアー排出路９を形成する散点状融着部６をもって一体状に融着されて、他辺部12の融着幅Ｄ12よりも広い融着幅Ｄ7 を有する幅広融着辺部７を形成し、かつ、幅広融着辺部７に、把手用孔部８を貫設したので、幅広融着辺部７の把手用孔部８…に指を入れて把持でき、持ち運び易い。しかも、幅広融着辺部７は、不織布２が表裏シート体３Ａ，３Ｂによりサンドイッチ状に挟持され、大きな強度を有するので、運ぶ際に、米の重さで孔部８…が変形することがなく、かつ、幅広融着辺部７が不意に破れることがない。
さらに、幅広融着辺部７が、散点状融着部６…により、複数のエアー排出路９を備えるので、袋内部４の残留空気を確実に外部５へと排出することができ、米袋を、バランスよく積むことができ、崩れる虞れがなくなる。しかも、各エアー排出路９は、ランダムなジグザグ形状を有し、かつ、幅方向に長く形成されるので、外部５から水分や微小な塵等が入り込むのを防ぐことができ、米の品質低下を防ぐことができる。
【００２３】
また、本考案に係る米袋は、プラスチック製の表裏シート体３Ａ，３Ｂの周辺を融着して形成されたものであり、一辺部11は、帯状不織布２が、表裏シート体３Ａ，３Ｂによりサンドイッチ状に挟持され、かつ、不織布２と表裏シート体３Ａ，３Ｂは、空気10が袋内部４から外部５へ抜ける多数のエアー排出路９を形成する断続状融着部６をもって一体状に融着されて、他辺部12の融着幅Ｄ12よりも広い融着幅Ｄ7 を有する幅広融着辺部７を形成し、かつ、幅広融着辺部７に、把手用孔部８を貫設したので、幅広融着辺部７の把手用孔部８…に指を入れて把持でき、持ち運び易い。しかも、幅広融着辺部７は、不織布２が表裏シート体３Ａ，３Ｂによりサンドイッチ状に挟持され、大きな強度を有するので、運ぶ際に、米の重さで孔部８…が変形することがなく、かつ、幅広融着辺部７が不意に破れることがない。
さらに、幅広融着辺部７が、断続状融着部６…により、複数のエアー排出路９を備えるので、袋内部４の残留空気を確実に外部５へと排出することができ、米袋を、バランスよく積むことができ、崩れる虞れがなくなる。しかも、各エアー排出路９は、幅方向に長く形成されるので、外部５から水分や微小な塵等が入り込むのを防ぐことができ、米の品質低下を防ぐことができる。
【００２４】
また、幅広融着辺部７の厚さ寸法Ｔ7 と、他辺部12のうち幅広融着辺部７と対向する対向辺部13の厚さ寸法Ｔ13とを、略同一の大きさに設定したので、米袋を切断分離する前の長尺状の米袋連繋体を、芯部材等にロール状に巻き付けてロール体を形成する場合に、米袋連繋体は、軸心方向に片寄らない。よって、ロール体が、均等な形状となり、強固に巻き付けることができると共に、コンパクトな形状にすることができる。しかも、ロール体の米袋連繋体をスムースに引き出すことができる。
【００２５】
また、幅広融着辺部７は、把手用孔部８の周囲に形成された閉環状融着部16、及び、閉環状融着部16から幅方向に内外に延伸する延伸状融着部17，18を、備えているので、幅広融着辺部７は、把手用孔部８…の周囲が補強されて、把持する際に、孔部８が変形するのが防がれる。
【００２６】
また、不織布２の材質は、表裏シート体３Ａ，３Ｂと同種材質としたので、製造が容易となり、製造の効率が良い。また、コストの低減も図ることができる。
【図面の簡単な説明】
【００２７】
【図１】本考案に係る米袋の実施の一形態を示す斜視図である。
【図２】説明用正面図である。
【図３】要部拡大断面図である。
【図４】説明用斜視図である。
【図５】米袋連繋体を巻き付けたロール体を示す斜視図であって、（Ａ）は斜視図で、（Ｂ）は要部拡大斜視図である。
【符号の説明】
【００２８】
１  米袋
２  不織布
３，３Ａ，３Ｂ  シート体
４  袋内部
５  外部
６  融着部
７  幅広融着辺部
８  把手用孔部
９  エアー排出路
10  空気
11  一辺部
12  他辺部
13  対向辺部
16  閉環状融着部
17  延伸状融着部
18  延伸状融着部
Ｄ7 ，Ｄ12  融着幅
Ｔ7 ，Ｔ13  厚さ寸法
【図１】
0003111886.tif 000003
【図２】
0003111886.tif 000004
【図３】
0003111886.tif 000005
【図４】
0003111886.tif 000006
【図５】
0003111886.tif 000007